(57)【要約】【課題】係脱機構によりスクリーンに設けられた係合部を破砕機体に配設された係合部に係脱させると共に案内部によりスクリーンを取出口部を経て取出又は挿入案内することができ、スクリーンの掃除作業や交換作業、保守作業を能率的に行うことができ、破砕作業能率を高めることができる。【解決手段】破砕機体１内に破砕室部２を配設し、該破砕室部内に被破砕物Ｗを破砕可能な破砕ロータ６を配設し、該破砕機体に該破砕ロータの下部外周面に添ってスクリーン８を配設してなり、上記破砕機体に上記スクリーンの取出口部９を配設し、該スクリーンに該破砕機体に配設された係合部１０に係脱可能な係脱部１１を設けると共に該スクリーンに該破砕機体に取付可能な取付部１２を設け、該破砕機体に該係脱部を取出案内可能な案内部１３を配設し、該破砕機体に該スクリーンに設けられた該係脱部を破砕機体に配設された該係合部に係脱させる係脱機構１６を配設してなる。【選択図】        図１
2004202365.tif 000002
【特許請求の範囲】
【請求項１】
破砕機体内に破砕室部を配設し、該破砕室部内に被破砕物を破砕可能な破砕ロータを配設し、該破砕機体に該破砕ロータの下部外周面に添ってスクリーンを配設してなり、上記破砕機体に上記スクリーンの取出口部を配設し、該スクリーンに該破砕機体に配設された係合部に係脱可能な係脱部を設けると共に該スクリーンに該破砕機体に取付可能な取付部を設け、該破砕機体に該係脱部を取出案内可能な案内部を配設し、該破砕機体に該スクリーンに設けられた該係脱部を破砕機体に配設された該係合部に係脱させる係脱機構を配設してなることを特徴とする破砕機。
【請求項２】
上記係脱機構として、上記破砕機体に揺動アームの基部を枢着すると共に該揺動アームの先端部に上記スクリーンに配設された引掛部に係脱可能な引掛受部を設け、該破砕機体に該揺動アームを揺動運動させる揺動機構を配設してなることを特徴とする請求項１記載の破砕機。
【請求項３】
上記スクリーンに設けられた係脱部は上記案内部を接触移動する案内軸部に形成され、かつ、該スクリーンに該案内部を転動可能な転動ロールを配設してなることを特徴とする請求項１又は２記載の破砕機。
【請求項４】
上記案内部に上記スクリーンを上記取出口部と外方位置との間で案内可能な水平案内部を設けてなることを特徴とする請求項１〜３のいずれか１項に記載の破砕機。
【請求項５】
上記スクリーンはフォークリフトにより取出可能に設けられていることを特徴とする請求項１〜４のいずれか１項に記載の破砕機。
【発明の詳細な説明】
【０００１】
【発明の属する技術分野】
本発明は例えば紙、プラスチック等の都市ゴミ、産業廃棄物等を細片に切断する破砕機に関するものである。
【０００２】
【従来の技術】
【０００３】
特開平１１−９０２５８号公報
【０００４】
従来この種の破砕機として、破砕機体内に破砕室部を配設し、該破砕室部内に被破砕物を破砕可能な破砕ロータを配設し、該破砕ロータの下部外周面に添ってスクリーンを配設してなる構造のものが知られている。
【０００５】
【発明が解決しようとする課題】
しかしながらこれら従来構造の場合、上記スクリーンの目詰まりに伴う掃除作業、交換作業や保守作業において、スクリーンを取り出す作業が面倒であり、スクリーンが重量物であることも相まってスクリーンの掃除作業が困難となり、破砕作業能率の低下を余儀なくされているという不都合を有している。
【０００６】
【課題を解決するための手段】
本発明はこれらの課題を解決することを目的とし、本発明のうちで、請求項１記載の発明は、破砕機体内に破砕室部を配設し、該破砕室部内に被破砕物を破砕可能な破砕ロータを配設し、該破砕ロータの下部外周面に添ってスクリーンを配設してなり、上記破砕機体に上記スクリーンの取出口部を配設し、該スクリーンに該破砕機体に配設された係合部に係脱可能な係脱部を設けると共に該スクリーンに該破砕機体に取付可能な取付部を設け、該破砕機体に該係脱部を取出案内可能な案内部を配設し、該破砕機体に該スクリーンに設けられた該係脱部を破砕機体に配設された該係合部に係脱させる係脱機構を配設してなることを特徴とする破砕機にある。
【０００７】
又、請求項２記載の発明にあっては、上記係脱機構として、上記破砕機体に揺動アームの基部を枢着すると共に該揺動アームの先端部に上記スクリーンに配設された引掛部に係脱可能な引掛受部を設け、該破砕機体に該揺動アームを揺動運動させる揺動機構を配設してなることを特徴とするものであり、又、請求項３記載の発明は、上記スクリーンに設けられた係脱部は上記案内部を接触移動する案内軸部に形成され、かつ、該スクリーンに該案内部を転動可能な転動ロールを配設してなることを特徴とするものであり、又、請求項４記載の発明は、上記案内部に上記スクリーンを上記取出口部と外方位置との間で案内可能な水平案内部を設けてなることを特徴とするものであり、又、請求項５記載の発明は、上記スクリーンはフォークリフトにより取出可能に設けられていることを特徴とするものである。
【０００８】
【発明の実施の形態】
図１乃至図１０は本発明の実施の形態例を示し、図１乃至図９は第一形態例、図１０は第二形態例である。
【０００９】
図１乃至図９の第一形態例において、１は破砕機体であって、内部に破砕室部２が形成され、破砕室部２の上方に被破砕物Ｗを投入するホッパー状の投入口部３を形成し、この破砕室部２内に回転軸４を回転自在に横設し、この回転軸４を回転させる図示省略の回転機構を配設し、回転軸４に被破砕物Ｗを破砕可能な回転刃５を有する破砕ロータ６を内装すると共に破砕機体１に回転刃５と協働して被破砕物Ｗを剪断破砕する固定刃７を配設し、この破砕ロータ６の下部外周面に添ってスクリーン８を配置し、破砕機体１に上記スクリーン８の取出口部９を配設して構成している。
【００１０】
この場合、上記スクリーン８は複数個の並列する弧状部材８ａ上に複数個の通穴８ｂを有する円弧板８ｃを溶接してなり、スクリーン８の底面形状は上記取出口部９から挿入される図示省略のフォークリフトの爪部上に載置可能な形状に形成されている。
【００１１】
１０は係合部、１１は係脱部であって、上記破砕機体１に横凹部状の係合部１０を形成すると共に上記スクリーン８の取出方向の奥側位置に係合部１０に係脱可能な軸状の係脱部１１を形成し、スクリーン８の取出方向手前側位置に破砕機体１の固定部１ａにボルト１ｂにより取付可能な取付部１２を形成している。
【００１２】
１３は案内部であって、上記係脱部１１を取出案内可能な弧状部１３ａに形成され、この場合、係脱部１１は上記案内部１３上を接触移動する案内軸部１１ａに形成され、かつ、スクリーン８に案内部１３を転動可能な転動ロール１４を複数個配設し、この案内部１３に上記スクリーン８を上記取出口部９と外方位置との間で案内可能な水平案内部１５を設けて構成している。
【００１３】
１６は係脱機構であって、上記スクリーン８に設けられた係脱部１１を破砕機体１に配設された係合部１０に係脱させる構造となっており、この場合、破砕機体１に揺動アーム１７の基部を回転自在な枢軸１８により枢着すると共に揺動アーム１７の先端部に上記スクリーン８に配設された引掛部１９に係脱可能な凹部状の引掛受部２０を設け、破砕機体１に揺動アーム１６を揺動運動させる油圧や空圧式のシリンダ、減速モータ等の揺動機構２１を配設し、枢軸１８に作動アーム１６ａを固定突設し、作動アーム１６ａに、この場合、シリンダ機構である揺動機構２１のロッド部２１ａを枢着連結して構成している。
【００１４】
２２は押送部材であって、上記破砕室部２の側方に図示省略のガイド機構により往復移動自在に設けられ、投入口部３から投入されて落送されてくる被破砕物Ｗを破砕ロータ６に向けて斜め下向きに押送可能に構成している。
【００１５】
この実施の第一形態例は上記構成であるから、図１の如く、人為的又は自動的に、破砕機体１内の破砕室部２に投入口部３を介して、フィルム、ランナ、プラスチックラップ等の都市ゴミや産業廃棄物等の被破砕物Ｗを投入し、押送部材２２を往復動させて被破砕物Ｗを破砕室部２に押送し、破砕室部２において、破砕ロータ６の回転軸４の回転により回転刃５は図中矢印方向の反時計廻りに回転し、この回転刃５の回転により破砕機体１に取り付けられた固定刃７との協働により被破砕物Ｗを剪断破砕することになり、破砕された被破砕物Ｗはスクリーン８の通穴８ｂを介して落下し、通穴８ｂより大きな被破砕物Ｗは再び上方にまわってから再度剪断破砕され、このようにして被破砕物Ｗの剪断破砕が行われることになる。
【００１６】
そして、上記破砕作業によるスクリーン８の目詰まりに伴う掃除作業、交換作業やスクリーンの保守作業において、図４の如く、係脱機構１６としての揺動機構２１のロッド部２１ａを没入動作させると、図５の如く、揺動アーム１７は枢軸１８を中心として上向き揺動し、揺動アーム１７に設けられた引掛受部２０は引掛部１９に引掛係合し、この状態で、ボルト１ｂを取り外して取付部１２を固定部１ａから放し、そして、図６の如く、揺動機構２１のロッド部２１ａを突出動作動作させ、揺動アーム１７を下向き揺動させると、係脱部１１は少し突出動作して係合部１０から離脱し、更なる、揺動アーム１７の下向き揺動により、図７の如く、スクリーン８は係脱部１１たる案内軸部１１ａと案内部１３との摺接及び転動ロール１４と案内部１３との摺接により案内部１３上に載置され、更なる、揺動アーム１７の下向き揺動により、図８の如く、引掛凹部２０は引掛部１９から離脱し、これにより、スクリーン８は案内部１３上に解放状態で載置されることになり、図９の如く、取出口部９を介してフォークリフトの爪部を挿入し、この解放状態のスクリーン８をフォークリフトの爪部により持ち上げ、取出口部９より水平案内部１５を介してスクリーン８を外部に搬出し、クレーン等を用いて引き上げ移動し、スクリーン８の掃除や保守作業を行うことになり、掃除や保守作業が完了したら、このスクリーン８を図９から図８の如く案内部１３上に挿入配置し、この状態で、揺動アーム１７を図８から図７の如く上向き揺動させ、更なる上向き揺動により、図６の如く、係脱部１１は係合部１０に係合し、さらなる回動により図４の如く、スクリーン８は係脱部１０を中心として上向き揺動し、取付部１２を固定部１ａにボルト１ｂにより固定することになる。
【００１７】
従って、上記係脱機構１６によりスクリーン８に設けられた係合部１０を破砕機体１に配設された係合部１０に係脱させると共に案内部１３によりスクリーン８を取出口部９を経て取出又は挿入案内することができ、スクリーン８の掃除作業や交換作業、保守作業を能率的に行うことができ、破砕作業能率を高めることができる。
【００１８】
又、この場合、上記係脱機構１６として、上記破砕機体１に揺動アーム１７の基部を枢着すると共に揺動アーム１６の先端部にスクリーン８に配設された引掛部１９に係脱可能な引掛受部２０を設け、破砕機体１に揺動アーム１７を揺動運動させる揺動機構２１を配設してなるから、上記係脱機構１６を簡素化することができ、又、この場合、上記スクリーン８に設けられた係脱部１１は上記案内部１３を接触移動する案内軸部１１ａに形成され、かつ、スクリーン８に案内部１３を転動可能な転動ロール１４を配設してなるから、スクリーン８を円滑に取出又は挿入案内することができ、又、この場合、上記案内部１３に上記スクリーン８を上記取出口部９と破砕機体１の外方位置との間で案内可能な水平案内部１５を設けてなるから、スクリーン８を容易に取出又は挿入案内することができ、又、この場合、上記スクリーン８はフォークリフトにより取出可能に設けられているから、重量物であるスクリーン８を容易に取出又は挿入案内することができ、一層破砕作業能率を向上することができる。
【００１９】
図１０の第二形態例は別例構造を示し、この場合、上記引掛凹部２０に掛止鉤部２３を支軸２４により開閉自在に枢着すると共に掛止鉤部２３を固定軸２５により固定自在に設け、スクリーン８が自重により下向き揺動しない状態の場合、掛止鉤部２３により引掛部１９を強制的に引き下げ、スクリーン８を強制的に下向き揺動させるように構成している。
【００２０】
尚、本発明は上記実施の形態例に限られるものではなく、例えば破砕機体１、破砕室部２、破砕ロータ６、スクリーン８、取出口部９、係合部１０、係脱部１１、案内部１３、係脱機構１６の形状や構造並び材質等は適宜設計して変更される。
【００２１】
【発明の効果】
本発明は上述の如く、請求項１記載の発明にあっては、上記係脱機構によりスクリーンに設けられた係合部を破砕機体に配設された係合部に係脱させると共に案内部によりスクリーンを取出口部を経て取出又は挿入案内することができ、スクリーンの掃除作業や交換作業、保守作業を能率的に行うことができ、破砕作業能率を高めることができる。
【００２２】
又、請求項２記載の発明にあっては、上記係脱機構として、上記破砕機体に揺動アームの基部を枢着すると共に揺動アームの先端部にスクリーンに配設された引掛部に係脱可能な引掛受部を設け、破砕機体に揺動アームを揺動運動させる揺動機構を配設してなるから、上記係脱機構を簡素化することができ、又、請求項３記載の発明にあっては、上記スクリーンに設けられた係脱部は上記案内部を接触移動する案内軸部に形成され、かつ、スクリーンに案内部を転動可能な転動ロールを配設してなるから、スクリーンを円滑に取出又は挿入案内することができ、又、請求項４記載の発明にあっては、上記案内部に上記スクリーンを上記取出口部と破砕機体の外方位置との間で案内可能な水平案内部を設けてなるから、スクリーンを容易に取出又は挿入案内することができ、又、請求項５記載の発明にあっては、上記スクリーンはフォークリフトにより取出可能に設けられているから、重量物であるスクリーンを容易に取出又は挿入案内することができ、一層破砕作業能率を向上することができる。
【００２３】
以上の如く、所期の目的を充分達成することができる。
【図面の簡単な説明】
【図１】本発明の実施の第一形態例の拡大側断面図である。
【図２】本発明の実施の第一形態例の拡大平面図である。
【図３】本発明の実施の第一形態例の拡大正面図である。
【図４】本発明の実施の第一形態例の部分拡大断面図である。
【図５】本発明の実施の第一形態例の部分拡大断面図である。
【図６】本発明の実施の第一形態例の部分拡大断面図である。
【図７】本発明の実施の第一形態例の部分拡大断面図である。
【図８】本発明の実施の第一形態例の部分拡大断面図である。
【図９】本発明の実施の第一形態例の部分拡大断面図である。
【図１０】本発明の実施の第二形態例の部分拡大断面図である。
【符号の説明】
Ｗ  被破砕物
１  破砕機体
２  破砕室部
４  回転軸
５  回転刃
６  破砕ロータ
７  固定刃
８  スクリーン
９  取出口部
１０  係合部
１１  係脱部
１３  案内部
１６  係脱機構
１９  引掛部
２０  引掛凹部
２１  揺動機構
【図１】
2004202365.tif 000003
【図２】
2004202365.tif 000004
【図３】
2004202365.tif 000005
【図４】
2004202365.tif 000006
【図５】
2004202365.tif 000007
【図６】
2004202365.tif 000008
【図７】
2004202365.tif 000009
【図８】
2004202365.tif 000010
【図９】
2004202365.tif 000011
【図１０】
2004202365.tif 000012